【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
燃焼ピストンを収容する燃焼シリンダと、
圧縮ピストンを収容し、前記燃焼シリンダに圧縮流体を供給するように配置される圧縮シリンダと、
前記燃焼シリンダおよび／またはこれに付随する流体に関連するパラメータの指示を受信し、
前記指示されたパラメータが前記パラメータの目標値より小さいとき、前記燃焼ピストンのリターンストローク中に、前記燃焼ピストンがその上死点位置（ＴＤＣ）に達する前に、前記燃焼シリンダの排気弁を閉じさせ、
前記指示されたパラメータが前記パラメータの前記目標値と等しいか、または前記パラメータの前記目標値より大きいとき、前記燃焼ピストンがその前記上死点位置（ＴＤＣ）に達するときに、前記燃焼ピストンのリターンストロークの終了時に、前記燃焼シリンダの前記排気弁を閉じさせる、
ように、前記指示パラメータに基づいて、前記排気弁を制御するように構成される制御部と、
を備える、
ことを特徴とするスプリットサイクル内燃エンジン。
【請求項２】
前記パラメータの前記指示は、前記燃焼シリンダおよび／またはこれに付随する流体に関連する温度の指示であり、
前記パラメータの前記目標値は、目標温度である、
請求項１記載のスプリットサイクル内燃エンジン。
【請求項３】
前記目標温度は、燃焼のための目標温度である、
請求項２記載のスプリットサイクル内燃エンジン。
【請求項４】
前記制御部は、
前記目標温度と等しいか、または前記目標温度より高い指示された温度について通常駆動モードを規定し、前記目標温度より低い指示された温度について少なくとも１つのコールドスタートモードを規定するメモリ、
を備える、
請求項２または３記載のスプリットサイクル内燃エンジン。
【請求項５】
前記コールドスタートモードにおいて、
前記制御部は、前記燃焼ピストンが前記ＴＤＣ前にある初期閉位置で前記排気弁を閉じるように構成され、
最大初期閉位置は、前記ＴＤＣ前の位相角ｚ°にある前記燃焼ピストンにより与えられる、
請求項４記載のスプリットサイクル内燃エンジン。
【請求項６】
前記制御部は、前記指示された温度と前記目標温度との間の差に従って、前記最大初期閉位置と、前記燃焼ピストンが前記ＴＤＣにある通常モード閉位置と、の間で前記排気弁の前記初期閉位置を連続的に変更するように構成される、
請求項５記載のスプリットサイクル内燃エンジン。
【請求項７】
前記制御部は、前記指示された温度と前記目標温度との間の差に従って、前記ＴＤＣ前の位相角ｚ°から前記ＴＤＣまでの間の前記燃焼ピストンの位置について、前記排気弁に対して複数の別個の初期閉位置の１つを選択するように構成される、
請求項２乃至５のいずれかに記載のスプリットサイクル内燃エンジン。
【請求項８】
前記制御部は、ルックアップテーブルを用いて、別個の前記初期閉位置を選択するように構成される、
請求項７記載のスプリットサイクル内燃エンジン。
【請求項９】
前記ルックアップテーブルに従って、
第１初期閉位置は、前記ＴＤＣ前の位相角ｘ°にある前記燃焼ピストンに対応し、
第２初期閉位置は、前記ＴＤＣ前の位相角ｙ°にある前記燃焼ピストンに対応し、
第３初期閉位置は、前記ＴＤＣ前の位相角ｚ°にある前記燃焼ピストンに対応し、
前記第１初期閉位置は、前記目標温度よりｘ℃低い温度までの指示された温度についてマッピングされ、
前記第２初期閉位置は、前記目標温度よりｙ℃からｘ℃まで低い指示された温度についてマッピングされ、
前記第３初期閉位置は、前記目標温度よりｚ℃からｙ℃まで低い指示された温度についてマッピングされる、
請求項８記載のスプリットサイクル内燃エンジン。
【請求項１０】
前記制御部は、前記スプリットサイクル内燃エンジンまたはその中の流体に関連する圧力の指示を受信し、前記指示された圧力に基づいて、前記排気弁を制御するように構成される、
請求項２乃至９のいずれかに記載のスプリットサイクル内燃エンジン。
【請求項１１】
前記制御部は、前記スプリットサイクル内燃エンジンまたはその中の流体に関連する酸素濃度の指示を受信し、前記指示された酸素濃度に基づいて、前記排気弁を制御するように構成される、
請求項２乃至１０のいずれかに記載のスプリットサイクル内燃エンジン。
【請求項１２】
前記圧縮シリンダは、冷却プロセスを介して液相に圧縮された液体を受け入れるように配置され、その結果、前記圧縮ピストンの圧縮ストローク中に、前記液体が気相へと蒸発し、その結果、前記圧縮ストロークにより生じる温度上昇が、前記液体による熱吸収により制限される、
請求項２乃至１１のいずれかに記載のスプリットサイクル内燃エンジン。
【請求項１３】
前記液体は、
液体窒素と、液体アルゴンと、液体ネオンと、のうち少なくとも１つ、
を含む、
請求項１２記載のスプリットサイクル内燃エンジン。
【請求項１４】
前記制御部は、前記指示された温度に基づいて、前記圧縮シリンダに供給される前記液体の量を制御するように構成される、
請求項１２または１３記載のスプリットサイクル内燃エンジン。
【請求項１５】
前記制御部は、
前記目標温度より高い閾値温度を超える指示された温度について、ホットモードの操作を規定するメモリ、
を備え、
前記制御部は、前記ホットモードにおいて、
前記指示された温度に基づいて、前記圧縮シリンダに供給される前記液体の速度と量とのうち少なくとも１つを制御し、
場合により、前記指示された温度に基づいて、前記スプリットサイクル内燃エンジンのレキュペレータへの水の注入を制御する、
ように構成される、
請求項１２または１３記載のスプリットサイクル内燃エンジン。
【請求項１６】
前記制御部は、前記スプリットサイクル内燃エンジンまたはその中の流体に関連する圧力の指示を受信し、前記指示された圧力に基づいて、前記圧縮シリンダに供給される前記液体の量を制御するように構成される、
請求項１２乃至１５のいずれかに記載のスプリットサイクル内燃エンジン。
【請求項１７】
前記制御部は、前記スプリットサイクル内燃エンジンまたはその中の流体に関連する酸素濃度の指示を受信し、前記指示された酸素濃度に基づいて、前記圧縮シリンダに供給される前記液体の量を制御するように構成される、
請求項１２乃至１６のいずれかに記載のスプリットサイクル内燃エンジン。
【請求項１８】
前記燃焼シリンダに供給される前記圧縮流体を加熱するために、前記燃焼シリンダの排気生成物に前記圧縮流体を熱的に連結するように構成される前記レキュペレータ、
を備える、
請求項２乃至１７のいずれかに記載のスプリットサイクル内燃エンジン。
【請求項１９】
触媒被膜は、使用時に前記排気生成物と接触する前記レキュペレータの表面上に設けられる、
請求項１８記載のスプリットサイクル内燃エンジン。
【請求項２０】
前記触媒被膜は、前記触媒のライトオフを促進するために前記圧縮流体と前記排気生成物との両方により加熱されるために、使用時に前記圧縮流体および前記排気生成物と熱的に連通している状態であるように設けられる、
請求項１８または１９記載のスプリットサイクル内燃エンジン。
【請求項２１】
前記目標温度より高い閾値温度を超える指示された温度について、前記制御部は、前記レキュペレータへの水の注入を制御するように構成される、
請求項１８乃至２０のいずれかに記載のスプリットサイクル内燃エンジン。
【請求項２２】
前記燃焼シリンダに関連する前記温度の前記指示は、前記圧縮シリンダの出口での温度と、前記燃焼シリンダの入口での温度と、前記燃焼シリンダの出口での温度と、前記レキュペレータでの温度と、のうち少なくとも１つを検知するように配置されるセンサにより与えられる、
請求項１８乃至２１のいずれかに記載のスプリットサイクル内燃エンジン。
【請求項２３】
前記燃焼シリンダの前記温度の前記指示は、前記触媒の位置での温度を検知するように配置されるセンサにより与えられる、
請求項１９記載のスプリットサイクル内燃エンジン。
【請求項２４】
前記燃焼シリンダの入口弁は、前記圧縮流体が前記燃焼シリンダに入ることを可能にするために、前記燃焼シリンダの内側に向けて開放するように配置される、
請求項１乃至２３のいずれかに記載のスプリットサイクル内燃エンジン。
【請求項２５】
前記燃焼シリンダの入口弁は、前記圧縮流体が前記燃焼シリンダに入ることを可能にするために、前記燃焼シリンダから外側に向けて開放するように配置される、
請求項１乃至２４のいずれかに記載のスプリットサイクル内燃エンジン。
【請求項２６】
前記圧縮シリンダは、１つ以上の層で断熱され、
各層は、鋼鉄またはセラミックからなる、
請求項１乃至２５のいずれかに記載のスプリットサイクル内燃エンジン。
【請求項２７】
前記燃焼シリンダは、１つ以上の層で断熱され、
各層は、鋼鉄またはセラミックからなる、
請求項１乃至２６のいずれかに記載のスプリットサイクル内燃エンジン。
【請求項２８】
燃焼ピストンを収容する燃焼シリンダと、
圧縮ピストンを収容し、前記燃焼シリンダに圧縮流体を供給するように配置される圧縮シリンダと、
前記燃焼シリンダおよび／またはこれに付随する流体に関連するパラメータの指示を受信し、
前記指示された温度が目標温度より低いとき、前記燃焼ピストンのリターンストローク中に、前記燃焼ピストンがその上死点位置（ＴＤＣ）に達する前に、前記燃焼シリンダの排気弁を閉じさせ、
前記指示された温度が前記目標温度と等しいか、または前記目標温度より高いとき、前記燃焼ピストンがその前記上死点位置（ＴＤＣ）に達するときに、前記燃焼ピストンのリターンストロークが終了したら、前記燃焼シリンダの前記排気弁を閉じさせる、
ように、前記指示されたパラメータに基づいて、前記排気弁を制御するように構成される制御部と、
を備える、
ことを特徴とするスプリットサイクル内燃エンジン。
【請求項２９】
スプリットサイクル内燃エンジンを操作する方法であって、
前記スプリットサイクル内燃エンジンは、
燃焼ピストンを収容する燃焼シリンダと、
圧縮ピストンを収容し、前記燃焼シリンダに圧縮流体を供給するように配置される圧縮シリンダと、
を備え、
前記方法は、
燃焼シリンダおよび／またはこれに付随する流体に関連するパラメータの指示を受信する工程と、
前記指示されたパラメータに基づいて、前記燃焼シリンダの排気弁を制御する工程であって、
前記指示されたパラメータが前記パラメータの目標値より小さいとき、前記燃焼ピストンのリターンストローク中に、前記燃焼ピストンがその上死点位置に達する前に、前記燃焼シリンダの前記排気弁を閉じさせ、
前記指示されたパラメータが前記パラメータの前記目標値と等しいか、または前記パラメータの前記目標値より大きいとき、前記燃焼ピストンがその上死点位置に達するときに、前記燃焼ピストンの前記リターンストロークが終了したら、前記燃焼シリンダの前記排気弁を閉じさせる、
工程と、
を含む、
ことを特徴とする方法。
【請求項３０】
パラメータの前記指示は、前記燃焼シリンダおよび／またはこれに付随する流体に関連する温度の指示であり、
前記パラメータの前記目標値は、目標温度である、
請求項２９記載の方法。
【請求項３１】
パラメータの前記指示は、前記燃焼シリンダおよび／またはこれに付随する流体に関連する圧力の指示であり、
前記パラメータの前記目標値は、目標圧力である、
請求項２９記載の方法。
【請求項３２】
パラメータの前記指示は、前記燃焼シリンダに付随する流体の酸素濃度の指示であり、
前記パラメータの前記目標値は、目標酸素濃度である、
請求項２９記載の方法。
【請求項３３】
請求項２９乃至３２のいずれかに記載の方法を実施するプロセッサをプログラミングするように構成されるコンピュータプログラム命令、
を含む、
ことを特徴とする非一時的コンピュータ可読媒体。